(57)【特許請求の範囲】
【請求項１】
マトリクス状に配置された画素電極と、行方向に隣接する２つの画素電極の両方と重畳して配置された列方向に伸びるソース配線と、ソース配線と交差して配置された行方向に伸びるゲート配線とを備えるアクティブマトリクス基板であって、
該画素電極、ソース配線及びゲート配線は、絶縁膜を介してそれぞれ異なる層に形成されており、
該ソース配線は、行方向に隣接する２つの画素電極下にそれぞれ屈曲点を有し、かつ、行方向に隣接する２つの画素電極の間隙を横切る横断部を有し、
該ゲート配線は、行方向に隣接する２つの画素電極の間隙と重畳して配置された列方向に伸びる延伸部を有し、
該ソース配線は、実質的にゲート配線との交差点でのみゲート配線と重畳しており、
該行方向に隣接する２つの画素電極は、互いに極性が異なっており、
更に、ソース配線と交差して配置された行方向に伸びる保持容量配線を備え、
該保持容量配線は、行方向に隣接する２つの画素電極の間隙と重畳して配置された列方向に伸びる延伸部を有し、
該保持容量配線は、絶縁膜を介してゲート配線と異なる層に配置されており、
該行方向に隣接する２つの画素電極の間隙と重畳して配置された該保持容量配線の延伸部と該ゲート配線の延伸部とは、互いの先端部同士でのみ重畳し、
該保持容量配線の延伸部の先端部は、行方向に隣接する２つの画素電極の間隙に重畳するように、１本の保持容量配線から列方向にむかって２方向に伸びる該延伸部の両先端部であり、
該ゲート配線の延伸部の先端部は、該１本の保持容量配線に列方向に隣接して配置される２本のゲート配線から、行方向に隣接する２つの画素電極の間隙に重畳するように、それぞれ列方向に向かって延びる該延伸部の先端部である
ことを特徴とするアクティブマトリクス基板。
【請求項２】
前記保持容量配線は、列方向に隣接する２つの画素電極の間隙と重畳して配置されていることを特徴とする請求項１に記載のアクティブマトリクス基板。
【請求項３】
前記ゲート配線は、列方向に隣接する２つの画素電極の間隙と重畳して配置されていることを特徴とする請求項１に記載のアクティブマトリクス基板。
【請求項４】
請求項１〜３のいずれかに記載のアクティブマトリクス基板、液晶層、及び、対向基板をこの順に積層して備える液晶表示装置であって、
該対向基板は、隣接する２つの画素電極の間隙と重畳するブラックマトリクスを備えることを特徴とする液晶表示装置。
【発明の詳細な説明】
【技術分野】
【０００１】
本発明は、アクティブマトリクス基板及び液晶表示装置に関する。より詳しくは、アクティブマトリクス型の表示方式、更には、極性反転駆動の表示方式に好適に用いられる液晶表示装置に関するものである。
【背景技術】
【０００２】
液晶表示装置は、薄型、軽量及び低消費電力といった特長を活かし、近年では、テレビジョン、パーソナルコンピュータ、携帯電話、デジタルカメラ等、幅広い分野で用いられている。液晶表示は、電圧の印加による液晶の分子配列変化に伴う複屈折性、旋光性、二色性、旋光分散等の各種の光学的性質を利用して表示に用いられる光の制御を行う表示方式であり、液晶の駆動制御法によって、更に様々な方式に分けられる。例えば、マトリクス型の表示方式は、特定のパターンに電極を配置し、その電極ごとに駆動を制御する方式であり、高精細な表示が可能となる。
【０００３】
マトリクス型の表示方式は、更に、パッシブマトリクス型及びアクティブマトリクス型に分類され、アクティブマトリクス型であれば、マトリクス状に配置された電極を囲うようにそれぞれが直交した複数本の配線がなされ、更に、これらが直交する交点ごとにスイッチング素子が設けられるため、各電極が複数の配線によって個別に駆動制御されることになり、大容量であっても高品位の液晶表示を行うことができる。
【０００４】
このようなアクティブマトリクス型の液晶表示装置については、その表示品位を向上させるために様々な工夫がなされており、例えば、特許文献１〜３に記載の液晶表示装置が挙げられる。
【０００５】
特許文献１に記載の液晶表示装置は、アクティブマトリクス型の液晶表示装置であり、画素電極基板と対向電極基板とが液晶層を介して対向配置された構成を有する。画素電極基板において画素電極は、直交するゲートバスラインとドレインバスラインとによって囲まれる形で配置されている。また、蓄積容量電極を遮光膜として用いており、そのように画素電極及びドレインバスラインが配置された基板に、画素電極とドレインバスラインとの間隙から漏れる光を遮光する遮光膜を設けることで、遮光膜のマージンを少なくとることができ、結果として、開口率が向上する。なお、特許文献１において信号電圧は、ドレインバスラインを介して供給されている。
【０００６】
特許文献２に記載の液晶表示素子は、アクティブマトリクス型の液晶表示素子であり、液晶表示素子を構成する一方の基板上には、走査電極線及び信号電極線が、画素電極を囲うように格子状に配線されている。また、走査電極線から延出した遮光導電体が信号電極線に沿って薄膜トランジスタに向かって直進しており、画素電極と走査電極線、及び、画素電極と信号電極線との間隙における光漏れを防止するものとしている。これにより、ブラックマトリクスの正確な位置合わせに関わらず光漏れを抑制することができ、ブラックマトリクスの面積を小さくすることができる分、開口率が向上する。
【０００７】
特許文献３に記載の液晶表示装置は、アクティブマトリクス型の液晶表示装置であり、画素電極又は信号配線が屈曲部を有し、屈曲部を境界にして隣接する画素電極が幅方向に被覆されている。このように画素電極又は信号配線を屈曲させることで、ゲート１ライン毎にソース信号の極性を反転させるドット反転駆動を行った場合であっても、画素電極と信号配線（ソース配線）との間で生じる静電容量がレイヤー間のアライメントずれによって画素ごとで変動することを抑制することができ、そのような静電容量の変動に伴って生じる、シャドーイングと呼ばれる表示ムラを抑えることができるものとしている。
【０００８】
しかしながら、近年、液晶表示装置は急速な発展を遂げており、上述のような開口率の向上のほか、表示品位を向上させるために白黒表示間のコントラストの向上、更には液晶表示装置に用いられるアクティブマトリクス基板の特性を向上させることが強く求められているのが現状である。
【先行技術文献】
【特許文献】
【０００９】
【特許文献１】特開平６−３０８５３３号公報
【特許文献２】特開平８−１６０４５１号公報
【特許文献３】特開２００１−２８１６９６号公報
【発明の概要】
【発明が解決しようとする課題】
【００１０】
本発明は、上記現状に鑑みてなされたものであり、アクティブマトリクス基板の特性の向上、及び、白黒表示間のコントラストが向上した液晶表示装置を提供することを目的とするものである。
【課題を解決するための手段】
【００１１】
本発明者らは、一部に屈曲点を有するソース配線を備えるアクティブマトリクス基板の特性を向上させる、また、該アクティブマトリクス基板を備える液晶表示装置の表示品位を向上させる手段について種々検討したところ、画素電極及びソース配線の配置構成に着目した。そして、通常であれば、画素電極は個々が長方形に、全体としてはマトリクス（格子）状に配置され、画素電極の間隙は直交するゲート配線とソース配線とによって遮光されるが、ソース配線を屈曲させて配置することにより、画面内でのアライメントズレによる輝度ムラを解消することができたものの、画素電極の間隙が露出し、黒表示においてその領域から光漏れが生じることがあったことを見いだすとともに、光漏れが生じる領域に対し配線又は電極を配置し、画素電極の間隙を塞ぐことで、極性反転駆動を行う場合であっても、画素電極間の光漏れを防止することができることを見いだした。
【００１２】
また、本発明者らは、遮光に用いる配線又は電極として、アクティブマトリクス基板が備える保持容量配線又はゲート配線を利用することができることを見出すとともに、更に、ソース配線と保持容量配線又はゲート配線とが重ならないように、それぞれを一定間隔を空けて配置することにより、ソース配線と保持容量配線又はゲート配線との間で形成される寄生容量を小さくして配線遅延が生じることを防ぐことができることを見いだした。そして、そのようなアクティブマトリクス基板を液晶表示装置に適用することにより、配線遅延を防ぎ、かつ画素電極間の光漏れを防止してコントラストを向上させることができることを見いだし、上記課題をみごとに解決することができることに想到し、本発明に到達したものである。
【００１３】
すなわち、本発明は、マトリクス状に配置された画素電極と、行方向に隣接する２つの画素電極の両方と重畳して配置された列方向に伸びるソース配線と、ソース配線と交差して配置された行方向に伸びる保持容量配線とを備えるアクティブマトリクス基板であって、上記画素電極、ソース配線及び保持容量配線は、絶縁膜を介してそれぞれ異なる層に形成されており、上記ソース配線は、行方向に隣接する２つの画素電極下にそれぞれ屈曲点を有し、かつ、行方向に隣接する２つの画素電極の間隙を横切る横断部を有し、上記保持容量配線は、行方向に隣接する２つの画素電極の間隙と重畳して配置された列方向に伸びる延伸部を有し、上記ソース配線は、実質的に保持容量配線との交差点でのみ保持容量配線と重畳しているアクティブマトリクス基板（以下、本発明の第一のアクティブマトリクス基板ともいう。）である。
【００１４】
以下、本発明の第一のアクティブマトリクス基板について詳述する。
【００１５】
本発明の第一のアクティブマトリクス基板は、マトリクス状に配置された画素電極と、行方向に隣接する２つの画素電極の両方と重畳して配置された列方向に伸びるソース配線と、ソース配線と交差して配置された行方向に伸びる保持容量配線とを備える。本発明の第一のアクティブマトリクス基板には、例えば、画素電極、ソース配線、ゲート配線、保持容量配線等の液晶の駆動に関与する電極及び配線が設けられる。また、このように電極及び配線が設けられた基板に対し、行方向に、すなわち、保持容量配線が伸びる方向にソース配線と交差してゲート配線が配置され、かつゲート配線とソース配線との交点に、スイッチング素子である薄膜トランジスタ（ＴＦＴ：Thin Film Transistor）等が設けられる。画素電極は、液晶層に対し電圧を印加する画素単位を構成し、液晶を駆動する１つの画素として機能する。ソース配線は、画素電極やＴＦＴに対しソース信号を供給することができる配線である。保持容量配線は、絶縁膜を介して他の電極又は配線と静電容量を形成することで、ＴＦＴがオフとなったときに画素電極の電位を保持する役割をもつ。ゲート配線は、画素電極やＴＦＴに対しデータ信号が印加されるタイミングを制御する配線である。ＴＦＴは三端子型のスイッチング素子であり、ゲート配線から送られてくるゲート信号、及び、ソース配線から送られてくるソース信号を制御することができる半導体素子である。このようにゲート配線、ソース配線及びＴＦＴを配置することで、信号電圧がゲート配線のラインに沿った画素電極毎に順に印加される線順次走査を行うことができるようになる。
【００１６】
上記画素電極、ソース配線及び保持容量配線は、絶縁膜を介してそれぞれ異なる層に形成されており、上記ソース配線は、行方向に隣接する２つの画素電極下にそれぞれ屈曲点を有し、かつ、行方向に隣接する２つの画素電極の間隙を横切る横断部を有する。本発明においてソース配線は、絶縁膜を介して画素電極と別の層に設けられているので、上述の保持容量配線のように、ソース配線と画素電極との間には一定の静電容量が形成される。また、本発明においてソース配線は、上述のように全体として行方向に配置されているが、屈曲点を境に少なくとも２箇所で屈曲しており、屈曲点から延伸された横断部が行方向に隣接する２つの画素電極の間隙を横切る形となっている。屈曲する向きは、ソース配線の長さ方向に対し、直交する方向であっても、斜めの方向であってもよい。これによりソース配線は、隣接する２つの画素電極の両方と重畳することができる。
【００１７】
ソース配線を屈曲させて、行方向に隣接する２つの画素電極の両方と重畳して配置させる意義について、以下に詳述する。図１５及び図１６は、画素電極とソース配線との間で形成される静電容量の関係を示す平面模式図であり、図１６はソース配線を屈曲させない従来の形態を示し、図１５はソース配線を屈曲させる本発明の形態を示す。また、図１５及び図１６において（ａ）はアライメントズレが生じていないときを示し、（ｂ）はアライメントズレが生じたときを示す。なお、図１５及び図１６中の斜線は、ソース配線と画素電極とが重畳する領域を示す。図１６に示すように、画素電極（ｐｉｘ１〜ｐｉｘ３）がマトリクス状に形成される場合、通常、ソース配線（Ｓ１〜Ｓ３）は、各画素電極の間隙と重畳するように配置される。画素電極が形成される層とソース配線が形成される層とは別の層であり、絶縁膜を介してそれぞれが配置される。したがって、画素電極とソース配線との間には、一定の静電容量が形成されることになる。しかしながら、画素電極が形成される層とソース配線が形成される層とは異なるために、例えば、図１６（ｂ）の各ソース配線に示されるように、ソース配線が必ずしも画素電極間の中心に配置されるとは限らない。静電容量の大きさはソース配線と画素電極とが重畳する面積に比例するので、ソース配線と画素電極との重畳面積が大きく異なっていると、例えば、隣接画素間で極性が異なる駆動方式を用いた場合に以下のような不都合が生じうる。
【００１８】
液晶表示装置において、画素電極に形成される静電容量Ｃｐｉｘは、下記式（１）に示すように、保持容量配線との間で形成される静電容量Ｃｃｓ、液晶層との間で形成される静電容量Ｃｌｃ、ソース配線との間で形成される静電容量Ｃｓｄ、ゲート配線とドレイン配線の間で形成されるＣｇｄ等の和で算出される。
Ｃｐｉｘ＝Ｃｃｓ＋Ｃｃｌ＋Ｃｓｄ＋Ｃｇｄ・・・    （１）
【００１９】
画素電極ｐｉｘ１の一辺と重畳するソース配線をＳ１とし、画素電極ｐｉｘ１の他の一辺と重畳するソース配線をＳ２とし、それらのソース配線によって印加されるソース電位をそれぞれＶｓ１、Ｖｓ２とし、画素電極ｐｉｘ１に形成される静電容量をＣｐｉｘ１とし、ソース配線と画素電極との間に形成される静電容量をそれぞれＣｓｄ１、Ｃｓｄ２とし、画素電極ｐｉｘ１がソース配線Ｓ１からの信号電位を受け取るものとする。また、画素電極ｐｉｘ１の極性は＋、ｐｉｘ２の極性は−であるものとする。そうすると、画素電位Ｖｐｉｘ１は下記式（２）に示すように、
Ｖｐｉｘ１＝Ｖｓ１−（（Ｃｓｄ１／Ｃｐｉｘ１×Ｖｓ１pp）＋（Ｃｓｄ２／Ｃｐｉｘ１×Ｖｓ２pp ））    （２）
で表すことができる。なお、隣接する画素は互いに極性が異なるため、Ｖｓ２＝−Ｖｓ１である。また、上記「（Ｃｓｄ１／Ｃｐｉｘ１×Ｖｓ１pp）＋（Ｃｓｄ２／Ｃｐｉｘ１×Ｖｓ２pp）」はソース配線Ｓ１、Ｓ２による引き込み電圧を示すことになる。このとき、引き込み電圧に係るソース電位Ｖｓ１pp、Ｖｓ２ppは、画素電極に印加されるソース電位が１Ｈ毎に＋と−とが入れ代わることから、それぞれソース電位の２倍の影響を受け、Ｖｓ１pp＝２×Ｖｓ１及びＶｓ２pp＝２×Ｖｓ２の関係となる。
【００２０】
同様に、画素電極ｐｉｘ２の一辺と重畳するソース配線をＳ２とし、画素電極ｐｉｘ２の他の一辺と重畳するソース配線をＳ３とし、それらのソース配線によって印加されるソース電位をそれぞれＶｓ２、Ｖｓ３とし、画素電極ｐｉｘ２に形成される静電容量をＣｐｉｘ２とし、信号配線と画素電極との間に形成される静電容量をそれぞれＣｓｄ２、Ｃｓｄ３とし、画素電極ｐｉｘ２がＳ２からの信号電位を受け取るものとする。また、画素電極ｐｉｘ２に隣接する画素電極ｐｉｘ３の極性は、＋であるものとする。そうすると、画素電位Ｖｐｉｘ２は下記式（３）に示すように、
Ｖｐｉｘ２＝Ｖｓ２−（（Ｃｓｄ２／Ｃｐｉｘ２×Ｖｓ２pp）＋（Ｃｓｄ３／Ｃｐｉｘ２×Ｖｓ３pp））    （３）
で表すことができる。なお、隣接する画素は互いに極性が異なるため、Ｖｓ３＝−Ｖｓ２である。また、上記「（Ｃｓｄ２／Ｃｐｉｘ２×Ｖｓ２pp）＋（Ｃｓｄ３／Ｃｐｉｘ２×Ｖｓ３pp）」はソース配線Ｓ２、Ｓ３による引き込み電圧を示すことになる。
【００２１】
以上のことから、このように隣接する２つの画素が互いに異なる極性をもつ場合において、図１６（ａ）に示すように、隣接する２つの画素にそれぞれ重畳するソース配線の面積が同じであれば、Ｃｓｄ１＝Ｃｓｄ２＝Ｃｓｄ３となって各画素においてソース配線によって引き込まれる電圧が互いに打ち消しあうことになり、隣接する画素が互いに同電位（正負の逆を含む）となる。しかしながら、図１６（ｂ）に示すように、画素に重畳するソース配線の面積が変わると、Ｃｓｄ１＞Ｃｓｄ２又はＣｓｄ１＜Ｃｓｄ２、あるいは、Ｃｓｄ２＞Ｃｓｄ３又はＣｓｄ２＜Ｃｓｄ３となってソース配線によって引き込まれる電圧も変わり、隣接する画素間で互いに異なる電位となってしまうため、結果として表示に輝度ムラが生じてしまう。
【００２２】
そこで、本発明では、図１５（ａ）及び（ｂ）に示すように、ソース配線に屈曲点を設け、隣接する２つの画素電極のそれぞれとソース配線とが重畳するようにすることで、容易にソース配線のほぼ全体が画素電極と重畳するものとしており、これにより、図１５（ｂ）に示すように多少のアライメントずれがあったとしても、隣接する画素間で電位が変わってしまうことを抑止するものとしている。すなわち、本発明の形態によれば、上記Ｃｓｄ１、Ｃｓｄ２及びＣｓｄ３に関してほぼ同等の値を容易に確保することができる。
【００２３】
上記保持容量配線は、行方向に隣接する２つの画素電極の間隙と重畳して配置された列方向に伸びる延伸部を有する。ソース配線の一部を屈曲させ、ソース配線の全体が画素電極と重畳するように設計すると、画素電極同士の間隙には、遮光部材のない領域が存在してしまう。したがって、この領域では、黒表示において光漏れを生じさせてしまうことになるので、「白表示の輝度／黒表示の輝度」で算出されるコントラスト比の値は低下する。そこで本発明では、保持容量配線の一部を分岐し、更に延伸させて画素電極の間隙に重畳するように設計しており、これにより画素電極の間隙を抜けてくる光を遮光し、黒表示における光漏れを低減し、コントラストを向上させることができる。このとき、光漏れを遮光する部材としては一般的には有機樹脂等で構成されるブラックマトリクスを用いることが考えられるが、通常、ブラックマトリクスは、ソース配線とは別の基板に形成されるため、張り合わせずれにより充分な遮光効果を得られない可能性があり、また、ブラックマトリクスにピンホールが形成された場合にその部分から光漏れが起こることがある。一方、保持容量配線によれば、ソース配線と同じ基板に容易に形成することが可能であるのでアライメントずれの影響が少なく、また、遮光性についても有機樹脂より金属膜の方が大きな効果が得られやすいため、本発明の遮光部材としては、これらの配線がより適している。
【００２４】
上記ソース配線は、実質的に保持容量配線との交差点でのみ保持容量配線と重畳している。本発明において上記ソース配線の大部分は、保持容量配線との間で寄生容量が形成されることによる配線遅延等の影響を避けるために、保持容量配線と重ならないように保持容量配線と離れた場所に配置されている。本発明において保持容量配線とソース配線とは交差して配置されているので、設計上、少なくとも一点でこれらは交わることになるが、本発明のように実質的にソース配線を保持容量配線との交差点においてのみ保持容量配線と重畳する形態によれば、寄生容量の発生を充分に抑制することができ、配線遅延の発生を抑制することができる。
【００２５】
本発明のアクティブマトリクス基板の構成としては、このような構成要素を必須として形成されるものである限り、その他の構成要素を含んでいても含んでいなくてもよく、特に限定されるものではない。
【００２６】
本発明のアクティブマトリクス基板は、例えば、各種表示装置及び各種センサに搭載することができる。表示装置としては、液晶表示装置、有機エレクトロルミネッセンス表示装置等が挙げられる。センサとしては、光センサ、磁気センサ、温度センサ、化学センサ等が挙げられる。
【００２７】
上記本発明の第一のアクティブマトリクス基板においては、保持容量配線の代わりに延伸部としてゲート配線を用いてもよい。すなわち、本発明は、マトリクス状に配置された画素電極と、行方向に隣接する２つの画素電極の両方と重畳して配置された列方向に伸びるソース配線と、ソース配線と交差して配置された行方向に伸びるゲート配線とを備えるアクティブマトリクス基板であって、上記画素電極、ソース配線及びゲート配線は、絶縁膜を介してそれぞれ異なる層に形成されており、上記ソース配線は、行方向に隣接する２つの画素電極下にそれぞれ屈曲点を有し、かつ、行方向に隣接する２つの画素電極の間隙を横切る横断部を有し、上記ゲート配線は、行方向に隣接する２つの画素電極の間隙と重畳して配置された列方向に伸びる延伸部を有し、上記ソース配線は、実質的にゲート配線との交差点でのみゲート配線と重畳しているアクティブマトリクス基板（以下、本発明の第二のアクティブマトリクス基板ともいう。）でもある。
【００２８】
このようにゲート配線を延伸した形態では、保持容量配線を延伸した形態と異なり、ゲート配線と画素電極との間で形成される静電容量が、１ライン前のゲート信号の電圧変化の影響を一瞬受けることになるが、遮光及び配線遅延の観点からは、上記保持容量配線を用いる場合と同様の効果を得ることができる。
【００２９】
また、上記本発明の第一のアクティブマトリクス基板においては、保持容量配線の代わりにフローティング電極を用いてもよい。すなわち、本発明はまた、マトリクス状に配置された画素電極と、行方向に隣接する２つの画素電極の両方と重畳して配置された列方向に伸びるソース配線とを備えるアクティブマトリクス基板であって、上記画素電極及びソース配線は、絶縁膜を介してそれぞれ異なる層に形成されており、上記ソース配線は、行方向に隣接する２つの画素電極下にそれぞれ屈曲点を有し、かつ、行方向に隣接する２つの画素電極の間隙を横切る横断部を有し、上記アクティブマトリクス基板は、行方向に隣接する２つの画素電極の間隙と重畳して配置された列方向に伸びるフローティング電極を備えるアクティブマトリクス基板（以下、本発明の第三のアクティブマトリクス基板ともいう。）でもある。これにより、遮光及び配線遅延に関して、上記保持容量配線又はゲート配線を用いる場合と同様の効果を得ることができる。
【００３０】
上記フローティング電極とは、保持容量配線、ゲート配線等の他の配線と接続されていない独立した電極をいう。ただし、フローティング電極の材料として、保持容量配線又はゲート配線で用いた材料と同じ材料を用いてもよい。これにより、製造工程が簡略化される。なお、ソース配線とフローティング電極との間では、ソース配線と保持容量配線又はゲート配線との間で形成される寄生容量と同様、配線遅延の原因となりうるので、上記ソース配線は、実質的にフローティング電極との交差点でのみフローティング電極と重畳していることが好ましく、上記ソース配線は、実質的にフローティング電極と重畳していないことがより好ましい。
【００３１】
以下、これら本発明の第一、第二及び第三のアクティブマトリクス基板の好ましい形態について詳述する。
【００３２】
上記行方向に隣接する２つの画素電極は、互いに極性が異なっていることが好ましい。すなわち本形態は、隣接する２つの画素電極のいずれか一方が＋、他方が−であり、かつ上記ソース配線が、屈曲点を介してこれら極性の異なる２つの画素電極のそれぞれと重畳して配置される形態である。隣接する２つの画素電極間で極性が異なる駆動方式としては、例えば、ドット反転駆動方式が挙げられ、このとき、画素電極は、縦方向及び横方向のそれぞれの極性が＋、−、＋、−の順に極性が交互に配置されたものとなる。本形態では、隣接する２つの画素電極の極性が異なっていればよいので、例えば、行方向及び列方向の少なくとも一部に＋、−が隣接して配置されていればよく、＋、−、−、＋の順、−、＋、＋、−の順というように、一部に同じ極性が並べられたものを含んでいてもよい。このように極性を異ならせることで、フリッカーの発生を効果的に抑制することができる。上記本発明は、このような駆動方式に適用することで効果が特に発揮され、極性を異ならせた場合であっても、多少のアライメントずれの影響を受けることなく隣接する画素間で電位が変わってしまうことを抑制し、表示品位を保つことができる。
【００３３】
以下、保持容量配線を延伸する本発明の第一のアクティブマトリクス基板の好ましい形態について、説明する。まず、本発明の第一のアクティブマトリクス基板が、ソース配線と交差して配置された行方向に伸びるゲート配線を備える場合の好ましい形態について説明する。
【００３４】
上記ゲート配線は、行方向に隣接する２つの画素電極の間隙と重畳して配置された列方向に伸びる延伸部を有することが好ましい。すなわち本形態は、隣接する２つの画素電極の行方向の間隙に、保持容量配線及びゲート配線のそれぞれの延伸部を重畳させた形態であり、このように保持容量配線及びゲート配線の両方を遮光部材として用いることで、充分な遮光領域を確保しつつ、適切な保持容量を形成することができるようになる。
【００３５】
上記ゲート配線は、保持容量配線と同じ層に配置されていることが好ましい。上述のように、保持容量配線及びゲート配線はこれら本来の目的のほか、本発明では遮光目的として配置しており、材料としても同じものを用いることができる。したがって、保持容量配線とゲート配線とを同じ層に配置する形態では、保持容量配線とゲート配線とを一度に形成することができるので、製造工程が簡略化される。
【００３６】
上記ゲート配線は、絶縁膜を介して保持容量配線と異なる層に配置されていることが好ましい。製造時には同一層上での配線間のリーク不良が生じやすいが、これにより、リーク不良の発生の可能性を抑制することができる。更に上記形態において、上記行方向に隣接する２つの画素電極の間隙は、ゲート配線及び保持容量配線の少なくとも一方と重畳していることが好ましい。この形態によれば、ゲート配線と保持容量配線とが一部重畳して配置することができ、ゲート配線と保持容量配線とのいずれかを用いて行方向に隣接する２つの画素電極の間隙の全てを遮光することが可能となるので、画素電極間で生じる光漏れをより確実に遮断することができ、例えば、本形態のアクティブマトリクス基板を表示装置に適用した場合に、より高いコントラストを得ることができる。
【００３７】
上記ゲート配線は、列方向に隣接する２つの画素電極の間隙と重畳して配置されていることが好ましい。本形態によれば、上記行方向に隣接する２つの画素電極の間隙のみならず、列方向に隣接する２つの画素電極の間隙においても遮光を行うことができるため、画素電極間で生じる光漏れをより確実に遮断し、例えば、本形態のアクティブマトリクス基板を表示装置に適用した場合に、より高いコントラストを得ることができる。
【００３８】
上記保持容量配線は、列方向に隣接する２つの画素電極の間隙と重畳して配置されていることが好ましい。例えば、ゲート配線が、上記列方向に隣接する２つの画素電極の間隙に配置されていない、すなわち、ゲート配線が画素電極と重畳して配置されている場合には、本形態により、列方向に隣接する２つの画素電極の間隙における画素電極間で生じる光漏れをより確実に遮断し、例えば、本形態のアクティブマトリクス基板を表示装置に適用した場合に、より高いコントラストを得ることができる。
【００３９】
次に、本発明の第一のアクティブマトリクス基板が、更に、行方向に隣接する２つの画素電極の間隙と重畳して配置されたフローティング電極を備える場合の好ましい形態について説明する。
【００４０】
上記フローティング電極は、保持容量配線と同じ層に配置されていることが好ましい。保持容量配線とフローティング電極とを同じ層に配置する形態によれば、保持容量配線とゲート配線とを一度に形成することができるので、製造工程が簡略化される。
【００４１】
上記フローティング電極は、絶縁膜を介して保持容量配線と異なる層に配置されており、上記行方向に隣接する２つの画素電極の間隙は、フローティング電極、保持容量配線及びゲート配線の少なくともいずれかと重畳していることが好ましい。本形態によれば、フローティング電極、保持容量配線及びゲート配線のいずれかを用いて隣接する２つの画素電極の行方向の間隙の全てを遮光することができるので、これにより、画素電極間で生じる光漏れをより確実に遮断し、例えば、本形態のアクティブマトリクス基板を表示装置に適用した場合に、より高いコントラストを得ることができる。
【００４２】
以下、ゲート配線を延伸する本発明の第二のアクティブマトリクス基板の好ましい形態について、説明する。本発明の第二のアクティブマトリクス基板の好ましい形態は、本発明の第一のアクティブマトリクス基板の好ましい形態と同様であり、本発明の第一のアクティブマトリクス基板で用いた保持容量配線とゲート配線とが入れ替わった形態である。なお、フローティング電極を用いる形態については、本発明の第二のアクティブマトリクス基板と本発明の第一のアクティブマトリクス基板とでは、同様である。
【００４３】
したがって、本発明の第二のアクティブマトリクス基板が、更に、ソース配線と交差して配置された行方向に伸びる保持容量配線を備える場合には、以下の形態であることが好ましい。
【００４４】
上記保持容量配線は、行方向に隣接する２つの画素電極の間隙と重畳して配置された列方向に伸びる延伸部を有することが好ましい。これにより、ゲート配線及び保持容量配線の両方を遮光部材として用いることができ、充分な遮光領域を確保しつつ、適切な保持容量を形成することができるようになる。
【００４５】
上記保持容量配線は、ゲート配線と同じ層に配置されていることが好ましい。これにより、ゲート配線と保持容量配線とを一度に形成することができるので、製造工程が簡略化される。
【００４６】
上記保持容量配線は、絶縁膜を介してゲート配線と異なる層に配置されていることが好ましい。製造時には同一層上での配線間のリーク不良が生じやすいが、これにより、リーク不良の発生の可能性を抑制することができる。更に本形態において、上記行方向に隣接する２つの画素電極の間隙は、保持容量配線及びゲート配線の少なくとも一方と重畳していることが好ましい。これにより、保持容量配線とゲート配線とのいずれかを用いて隣接する２つの画素電極の行方向及び列方向の間隙の全てを遮光することができ、画素電極間で生じる光漏れをより確実に遮断し、例えば、本形態のアクティブマトリクス基板を表示装置に適用した場合に、より高いコントラストを得ることができる。
【００４７】
上記保持容量配線は、列方向に隣接する２つの画素電極の間隙と重畳して配置されていることが好ましい。これにより、行方向に隣接する２つの画素電極の間隙のみならず、列方向に隣接する２つの画素電極の間隙においても遮光を行うことができるため、画素電極間で生じる光漏れをより確実に遮断し、例えば、本形態のアクティブマトリクス基板を表示装置に適用した場合に、より高いコントラストを得ることができる。
【００４８】
上記ゲート配線は、列方向に隣接する２つの画素電極の間隙と重畳して配置されていることが好ましい。これにより、例えば、保持容量配線が、上記列方向に隣接する２つの画素電極の間隙に配置されていない、すなわち、保持容量配線が画素電極と重畳して配置されている場合には、本形態により、列方向に隣接する２つの画素電極の間隙における画素電極間で生じる光漏れをより確実に遮断し、例えば、本形態のアクティブマトリクス基板を表示装置に適用した場合に、より高いコントラストを得ることができる。
【００４９】
また、本発明の第二のアクティブマトリクス基板が、更に、行方向に隣接する２つの画素電極の間隙と重畳して配置されたフローティング電極を備える場合には、以下の形態であることが好ましい。
【００５０】
上記フローティング電極は、ゲート配線と同じ層に配置されていることが好ましい。これにより、ゲート配線とフローティング電極とを一度に形成することができるので、製造工程が簡略化される。
【００５１】
上記フローティング電極は、絶縁膜を介してゲート配線と異なる層に配置されていることが好ましい。製造時には同一層上での配線間のリーク不良が生じやすいが、これにより、リーク不良の発生の可能性を抑制することができる。更に上記形態において、上記行方向に隣接する２つの画素電極の間隙は、フローティング電極、ゲート配線及び保持容量配線の少なくともいずれかと重畳していることが好ましい。本形態によれば、フローティング電極、ゲート配線及び保持容量配線とのいずれかを用いて行方向に隣接する２つの画素電極の間隙の全てを遮光することができるので、これにより、画素電極間で生じる光漏れをより確実に遮断し、例えば、本形態のアクティブマトリクス基板を表示装置に適用した場合に、より高いコントラストを得ることができる。
【００５２】
以下、フローティング電極を備える本発明の第三のアクティブマトリクス基板の好ましい形態について、説明する。本発明の第三のアクティブマトリクス基板の好ましい形態は、本発明の第一のアクティブマトリクス基板の好ましい形態、及び、本発明の第二のアクティブマトリクス基板の好ましい形態と同様であり、本発明の第一のアクティブマトリクス基板で用いた保持容量配線、及び、本発明の第二のアクティブマトリクス基板で用いたゲート配線が、それぞれフローティング電極に入れ替わった形態である。
【００５３】
したがって、本発明の第三のアクティブマトリクス基板が、更に、ソース配線と交差して配置された行方向に伸びる保持容量配線を備える場合には、以下の形態であることが好ましい。
【００５４】
上記保持容量配線は、行方向に隣接する２つの画素電極の間隙と重畳して配置された列方向に伸びる延伸部を有することが好ましい。これにより、フローティング電極及び保持容量配線の両方を遮光部材として用いることができ、充分な遮光領域を確保しつつ、適切な保持容量を形成することができるようになる。
【００５５】
上記保持容量配線は、フローティング電極と同じ層に配置されていることが好ましい。これにより、フローティング電極と保持容量配線とを一度に形成することができるので、製造工程が簡略化される。
【００５６】
上記保持容量配線は、絶縁膜を介してフローティング電極と異なる層に配置されていることが好ましい。製造時には同一層上での配線間のリーク不良が生じやすいが、これにより、リーク不良の発生の可能性を抑制することができる。更に本形態において、上記行方向に隣接する２つの画素電極の間隙は、保持容量配線及びフローティング電極の少なくとも一方と重畳していることが好ましい。これにより、保持容量配線とフローティング電極とのいずれかを用いて行方向に隣接する２つの画素電極の間隙の全てを遮光することができ、画素電極間で生じる光漏れをより確実に遮断し、例えば、本形態のアクティブマトリクス基板を表示装置に用いた場合に、より高いコントラストを得ることができる。
【００５７】
上記保持容量配線は、列方向に隣接する２つの画素電極の間隙と重畳して配置されていることが好ましい。これにより、行方向に隣接する２つの画素電極の間隙のみならず、列方向に隣接する２つの画素電極の間隙においても遮光を行うことができるため、画素電極間で生じる光漏れをより確実に遮断し、例えば、本形態のアクティブマトリクス基板を表示装置に用いた場合に、より高いコントラストを得ることができる。
【００５８】
また、本発明の第三のアクティブマトリクス基板が、更にソース配線と交差して配置された行方向に伸びるゲート配線を備える場合には、以下の形態であることが好ましい。
【００５９】
上記ゲート配線は、行方向に隣接する２つの画素電極の間隙と重畳して配置された列方向に伸びる延伸部を有することが好ましい。これにより、フローティング電極及びゲート配線の両方を遮光部材として用いることができ、充分な遮光領域を確保しつつ、適切な保持容量を形成することができるようになる。
【００６０】
上記ゲート配線は、フローティング電極と同じ層に配置されていることが好ましい。これにより、フローティング電極と保持容量配線とを一度に形成することができるので、製造工程が簡略化される。
【００６１】
上記ゲート配線は、絶縁膜を介してフローティング電極と異なる層に配置されていることが好ましい。製造時には同一層上での配線間のリーク不良が生じやすいが、これにより、リーク不良の発生の可能性を抑制することができる。更に本形態において、上記行方向に隣接する２つの画素電極の間隙は、ゲート配線及びフローティング電極の少なくとも一方と重畳していることが好ましい。これにより、ゲート配線とフローティング電極とのいずれかを用いて隣接する２つの画素電極の行方向及び列方向の間隙の全てを遮光することができ、画素電極間で生じる光漏れをより確実に遮断し、例えば、本形態のアクティブマトリクス基板を表示装置に用いた場合に、より高いコントラストを得ることができる。
【００６２】
上記ゲート配線は、列方向に隣接する２つの画素電極の間隙と重畳して配置されていることが好ましい。これにより、行方向に隣接する２つの画素電極の間隙のみならず、列方向に隣接する２つの画素電極の間隙においても遮光を行うことができるため、画素電極間で生じる光漏れをより確実に遮断し、例えば、本形態のアクティブマトリクス基板を表示装置に用いた場合に、より高いコントラストを得ることができる。
【００６３】
本発明は更に、本発明の第一、第二又は第三のアクティブマトリクス基板、液晶層、及び、対向基板をこの順に積層して備える液晶表示装置であって、上記対向基板は、隣接する２つの画素電極の間隙と重畳するブラックマトリクスを備える液晶表示装置でもある。本発明の第一、第二又は第三のアクティブマトリクス基板を表示装置として用いることで、極性反転駆動を行う場合であっても、白黒表示間のコントラストが向上した表示装置を得ることができる。上記表示装置は、特に、ブラックマトリクスを備える液晶表示装置が好ましい。
【００６４】
行方向及び／又は列方向に隣接する２つの画素電極の間隙を遮光する部材として、上記配線を用いるほかにブラックマトリクスを補助的に用いてもよい。上述のように各種配線を用いて遮光する場合であっても、設計上、各種配線を遮光部材として用いることが不適当なことがあるため、そのような場合にはブラックマトリクスを用いて代替的に遮光することで、コントラストをより向上させることができる。
【００６５】
本発明の液晶表示装置では、アクティブマトリクス基板及び対向基板からなる一対の基板によって液晶層が挟持されている。対向基板は、例えば、カラーフィルタ層及びブラックマトリクスを備えるカラーフィルタ基板として用いることができる。なお、通常、液晶表示装置にはカラーフィルタ間の光漏れ、混色等を防ぐためにブラックマトリクスが用いられるが、本発明によれば、各種配線が主な遮光部材として用いられているので、従来のブラックマトリクスよりも細く形成することができ、開口率を向上させることができる。
【発明の効果】
【００６６】
本発明のアクティブマトリクス基板によれば、ソース配線に屈曲点が設けられる場合であっても、隣接する２つの画素電極の間隙に保持容量配線及び／又はゲート配線が延伸されており、隣接する２つの画素電極の間隙で起こる黒表示の光漏れを抑制することができるので、例えば、表示装置に用いた場合に、その表示装置のコントラストを向上させることができる。また、これら延伸された保持容量配線又はゲート配線は、これらの交差点を除き、ソース配線と重ならないように設けられているので、これらの配線間における寄生容量の形成を妨げることができ、配線遅延の影響を少なくすることができる。
【図面の簡単な説明】
【００６７】
【図１】実施形態１の液晶表示装置の画素構成を示す平面模式図である。
【図２】図１のＡ−Ｂ線に沿った断面模式図である。
【図３】実施形態１の液晶表示装置の画素電極が有する極性を示す平面模式図である。
【図４】実施形態２の液晶表示装置の画素構成を示す平面模式図である。
【図５】図４のＣ−Ｄ線に沿った断面模式図である。
【図６】実施形態３の液晶表示装置の画素構成を示す平面模式図である。
【図７】図６のＥ−Ｆ線に沿った断面模式図である。
【図８】実施形態４の液晶表示装置の画素構成を示す平面模式図である。
【図９】実施形態５の液晶表示装置の画素構成を示す平面模式図である。
【図１０】実施形態６の液晶表示装置の画素構成を示す平面模式図である。
【図１１−１】実施形態７の液晶表示装置の画素構成を示す平面模式図であり、フローティング電極とＣＳ配線とゲート配線とが同一層に配置され、かつソース配線が異なる層に配置された形態を示す。
【図１１−２】実施形態７の液晶表示装置の画素構成を示す平面模式図であり、フローティング電極とソース配線とが同一層に配置され、ゲート配線とＣＳ配線とが同一層に配置され、かつ、フローティング電極及びソース配線と、ゲート配線及びＣＳ配線とが、それぞれ異なる層に配置されている形態を示す。
【図１１−３】実施形態７の液晶表示装置の画素構成を示す平面模式図であり、ＣＳ配線とゲート配線とが同一層に配置され、かつ、フローティング電極と、ＣＳ配線及びゲート配線と、ソース配線とが、それぞれ異なる層に配置されている形態を示す。
【図１２】実施形態８の液晶表示装置の画素構成を示す平面模式図である。
【図１３】実施形態９の液晶表示装置の画素構成を示す平面模式図である。
【図１４】実施形態１０の液晶表示装置の画素構成を示す平面模式図である。
【図１５】画素電極とソース配線との間で形成される静電容量の関係を示す平面模式図であり、ソース配線を屈曲させる本発明の形態を示す。また、（ａ）はアライメントズレが生じていないときを示し、（ｂ）はアライメントズレが生じたときを示す。
【図１６】画素電極とソース配線との間で形成される静電容量の関係を示す平面模式図であり、ソース配線を屈曲させない従来の形態を示す。また、（ａ）はアライメントズレが生じていないときを示し、（ｂ）はアライメントズレが生じたときを示す。
【発明を実施するための形態】
【００６８】
以下に実施形態を掲げ、本発明について図面を参照して更に詳細に説明するが、本発明はこれらの実施形態のみに限定されるものではない。
【００６９】
（実施形態１）
図１は、実施形態１の液晶表示装置の画素構成を示す平面模式図である。また、図２は、図１のＡ−Ｂ線に沿った断面模式図である。実施形態１の液晶表示装置は、画素電極を備えるアクティブマトリクス基板、及び、カラーフィルタ層を備えるカラーフィルタ基板からなる一対の基板と、これら一対の基板に挟持された液晶層とで構成されている。実施形態１の液晶表示装置が備えるアクティブマトリクス基板には、マトリクス状に複数の画素電極１１（太線）が配列されており、画素電極１１ごとに液晶の駆動制御を行うことができる。
【００７０】
実施形態１のアクティブマトリクス基板においては、画素電極１１が配置された層とは別に、絶縁膜を介して、ゲート配線１２、ソース配線１３等の各種配線が形成された層が設けられている。ゲート配線１２は、画素電極１１の行方向の一辺に沿って行方向に伸びて配置されており、列方向に隣接する２つの画素電極１１の間隙と重畳している。ソース配線１３は列方向に伸びて配置されており、絶縁膜を介してゲート配線１２と交差して配置されている。ゲート配線１２とソース配線１３との交点には画素駆動用のスイッチング素子であるＴＦＴ１４が配置されている。ＴＦＴ１４によって、ゲート配線１２から送られてくるゲート信号でソース信号のタイミングを制御し、ソース配線１３から送られてくるソース信号を画素電極１１に印加することができる。
【００７１】
具体的には、ＴＦＴ１４はゲート配線１２及びソース配線１３のそれぞれと接続されており、ＴＦＴ１４の１つの電極からは更に、画素の中央に向かってドレイン引き出し配線１５が設けられている。そして、ドレイン引き出し配線１５と重畳する絶縁膜にコンタクトホール１６が設けられており、このコンタクトホール１６を介して、ドレイン引き出し配線１５と画素電極１１とが電気的に接続されている。このような構成は各画素に設けられている。
【００７２】
実施形態１においては、ゲート配線１２の行間にＣＳ配線（保持容量配線）１７が行方向に伸びて配置されている。ＣＳ配線１７は、画素の中央部において絶縁膜を介してＴＦＴ１４のドレイン引き出し配線１５と重畳して配置されており、ＴＦＴ１４のドレイン引き出し配線１５ととともに、一定の保持容量を形成することができる。なお、ゲート配線１２、ソース配線１３、ＣＳ配線１７、ドレイン引き出し配線１５等の各種配線は、例えば、アルミニウム（Ａｌ）、銀（Ａｇ）、窒化タンタル（ＴａＮ）、窒化チタン（ＴｉＮ）、窒化モリブデン（ＭｏＮ）等を用いて形成することができる。
【００７３】
図２に示すように、実施形態１においてアクティブマトリクス基板は、液晶層に向かって、ガラス基板２１、ＣＳ配線１７、第一の絶縁膜２２、ソース配線１３、第二の絶縁膜２３及び画素電極１１の順に配置されて構成されている。なお、実施形態１においてゲート配線１２は、ＣＳ配線１７と同一層に形成されている。
【００７４】
実施形態１においてソース配線１３は、行方向で隣接する２つの画素電極１１下のそれぞれに屈曲点１８を有し、その屈曲点１８を境に横断部２０が形成され、この横断部２０が行方向に隣接する２つの画素電極１１の間隙を横切って配置されている。これにより１つのソース配線１３が、隣接する２つの画素電極１１のそれぞれと重畳して配置された構成となっている。より詳しくは、ソース配線１３の横断部２０は、画素電極１１の外周を構成する辺の行方向及び列方向のそれぞれに対し横切る形状となっている。また、実施形態１においてソース配線１３は、その面積の大部分が画素電極１１と重畳する位置に配置されているので、アライメントずれが生じた場合であっても、画素電極１１とソース配線１３とが重畳する面積は、隣接する画素電極１１間でほぼ同じとなる。
【００７５】
実施形態１においてソース配線１３は、図１に示すように、行方向に隣接する画素電極１１と重畳するパターンが、列方向で同じである。より詳しくは、実施形態１においてソース配線１３は、行方向に隣接する一組の画素電極１１のうち、まず、右側に位置する画素電極１１と重畳して画素電極１１の列方向に延伸され、屈曲点１８を境に左側に位置する画素電極１１に向かって延伸され、行方向に隣接する画素電極１１の間隙を通過し、屈曲点１８を境に左側に位置する画素電極１１と重畳して画素電極１１の列方向に延伸されている。また、そのように延伸されたソース配線１３は、更に、画素電極１１の隅部において直角に曲がった屈曲点１８を境に右側に位置する画素電極１１に向かって延伸され、行方向に隣接する画素電極１１の間隙を通過し、右側に位置する画素電極１１と重畳する屈曲点１８を境に画素電極１１の列方向に延伸され、ゲート配線１２を通過し、次行の一組の画素電極１１に向かって延伸されている。こうすることにより、行方向に隣接する一組の画素電極１１に重畳して形成されるソース配線１３のパターンを各画素で同じとすることができるので、ＴＦＴ１４等の他の部材の配置も各画素で同様の配置とすることができ、例えば、ＴＦＴ１４のチャネルを遮光するブラックマトリクスの位置も各画素で同じとすることができ、上下の絵素の開口率を同じとし、輝度ムラが生じることを抑えることができる。
【００７６】
実施形態１の配置構成によれば、特に、隣接する画素電極１１が異なる極性を有する場合に有利である。隣接して配置された２つの画素電極１１の極性が互いに異なる場合であって、かつ画素電極１１とソース配線１３とが重畳する面積が画素間で大きく異なる場合、ソース配線１３とその隣のソース配線による画素電極１１の引き込み電圧の差が生じてしまう。しかしながら、このように横断部を設けることで、画素電極１１とソース配線１３とが重畳する面積を隣接する画素電極１１間でほぼ同じにすることが容易に可能となるので、引き込み電圧の差を小さくして輝度ムラが生じることを抑制し、各画素の表示品位を保つことができる。
【００７７】
実施形態１においてゲート配線１２は、画素電極１１の行方向の間隙、すなわち、列方向に隣接する画素電極の間隙と重畳して設けられている。一方、ソース配線１３は列方向に伸びて配置されているが、ソース配線１３は画素電極１１と重畳して設けられているため、画素電極１１の列方向の間隙、すなわち、行方向に隣接する画素電極の間隙には、光が抜ける領域が形成されることになる。これに対して実施形態１では、画素電極１１の列方向の間隙、すなわち、行方向に隣接する画素電極の間隙と重畳するようにＣＳ配線１７から分岐した延伸部１９が設けられており、これによって画素電極１１の列方向の間隙を遮光することができる形態となっている。それゆえに、実施形態１の構成によれば、高いコントラストを有する液晶表示装置が得られることになる。このようなゲート配線１２及びＣＳ配線１７の形成には、例えば、スパッタリング法等を用いて基板全体に金属膜を形成した後、レジストを形成し、マスク露光後、現像、エッチング、レジスト剥離等のプロセスを経てパターニングするフォトリソグラフィー法を用いることができ、延伸部１９についても、ＣＳ配線１７のパターン形成の際に同時に形成することができる。
【００７８】
実施形態１においてソース配線１３とＣＳ配線１７とは、原則として、表示面から見たときに互いに離れた位置に、すなわち、互いが重畳しないように配置されており、ソース配線１３とＣＳ配線１７とは、実質的にこれらの交差点のみで重畳している。こうすることで、ソース配線１３とＣＳ配線１７との間に寄生容量が形成されることによって起こる配線遅延を抑止することができ、表示品位が安定する。なお、設計の関係上、ソース配線１３とＣＳ配線１７とは一部重畳する領域が形成されているが、実施形態１のようにこれらが重畳する領域を最小限とすることで、表示品位に与える影響を小さくすることができる。
【００７９】
実施形態１においてゲート配線１２とＣＳ配線１７とは、同一層に配置されている。ゲート配線１２とＣＳ配線１７とは同一材料で形成することができるので、同一層にこれらの配線を一括形成することができ、製造工程が簡略化される。なお、ゲート配線１２とＣＳ配線１７とはその役割が異なっているため電気的に接続することができず、したがって、これらの間には一定間隔が設けられることになるが、このような形態であっても一定間隔の部分を除く他の領域を充分に遮光する構成となっているので、コントラストの向上効果を得ることができる。
【００８０】
実施形態１においてカラーフィルタ基板には、画素電極１１の間隙と重畳するようにブラックマトリクスを配置してもよい。これにより、例えば、設計上の理由によりＣＳ配線で画素電極の間隙を覆うことができない部分が生じても、その部分を補助的に遮光することができる。具体的には、ＣＳ配線１７とゲート配線１２との間の間隙と重畳するように部分的に配置することで、遮光効果を向上させ、コントラストを向上させることができる。なお、ブラックマトリクスは通常、カラーフィルタ間の混色及び光漏れの防止等を目的として形成されるが、実施形態１においては、各種配線が主な遮光部として用いられているので、通常のブラックマトリクスよりも細く形成することができ、これにより開口率を向上させることができる。
【００８１】
図３は、実施形態１の液晶表示装置の画素電極が有する極性を示す平面模式図である。実施形態１において画素電極１１の駆動方式は、ドット反転駆動方式である。ドット反転駆動は、行方向及び列方向に並んだ各画素電極に対し、逆極性の信号が印加される駆動方式である。したがって、実施形態１の画素電極は、図３に示すように、行方向及び列方向のいずれにおいても＋、−、＋、−の順に極性が異なって配置されている。そして、これら極性の異なる画素電極１１の間隙を横断するようにしてソース配線１３が屈曲して配置されている。このような極性は、ゲート配線１２と接続されたゲートドライバ、及び、ソース配線１３と接続されたソースドライバを用いて変換することができる。ドット反転駆動によれば、フリッカーの発生を効果的に抑制することができる。また、上述したように実施形態１の構成によれば、隣接する画素電極１１が異なる極性を有する場合であっても表示品位を保つことが可能であるので、結果として、フリッカーの発生を抑制するとともに、隣接する画素電極間の輝度が異なることによる輝度ムラを防ぎ、また、隣接する画素間で起こる光漏れを防止してコントラストを向上させ、更に、配線遅延が生じることによる表示品位の低下を抑制する高品位の表示を得ることができる。
【００８２】
（実施形態２）
図４は、実施形態２の液晶表示装置の画素構成を示す平面模式図である。また、図５は、図４のＣ−Ｄ線に沿った断面模式図である。図４に示すように、実施形態２の液晶表示装置においては画素電極１１の間隙を遮光する部材としてＣＳ配線１７ではなくゲート配線１２が用いられている点で実施形態１と異なるが、それ以外は実施形態１と同様である。したがって、実施形態２においてゲート配線１２は、一部が画素電極１１の列方向に延伸されて形成された延伸部２９を有し、画素電極１１の列方向の間隙、すなわち行方向に隣接する２つの画素電極の間隙と重畳して配置されている。これにより、黒表示における光漏れを防ぎ、表示のコントラストを向上させることができる。なお、実施形態２においては、ＣＳ配線１７ではなくゲート配線１２を画素電極１１の列方向に延伸している関係で、ＣＳ配線１７の位置は、画素電極１１の中央ではなく、画素電極１１の中央よりも端部側の位置で行方向に延伸されているが、ＣＳ配線１７とドレイン引き出し配線１５とが重畳する場所は特に限定されず、例えば、ＣＳ配線１７及びドレイン引き出し配線１５のそれぞれが延伸されて画素電極１１の中央付近でこれらが重畳している配置形態であってもよい。
【００８３】
実施形態２においてソース配線１３と、ゲート配線１２の延伸部２９とは、原則として、表示面から見たときに互いに離れた位置に、すなわち、互いに重畳しないように配置されており、ソース配線１３とゲート配線１２とは、実質的にこれらの交差点のみで重畳している。こうすることで、各配線間に寄生容量が形成されることによって起こる配線遅延を防ぎ、表示品位を安定させることができる。
【００８４】
図５に示すように、実施形態２のアクティブマトリクス基板は、液晶層に向かって、ガラス基板２１、ゲート配線１２、第一の絶縁膜２２、ソース配線１３、第二の絶縁膜２３及び画素電極１１の順にこれらが配置された構成を有する。
【００８５】
（実施形態３）
図６は、実施形態３の液晶表示装置の画素構成を示す平面模式図である。また、図７は、図６のＥ−Ｆ線に沿った断面模式図である。図６に示すように、実施形態３の液晶表示装置においては行方向に隣接する２つの画素電極の間隙を遮光する部材として、ＣＳ配線のみではなく、ＣＳ配線１７及びゲート配線１２の両方を用いている点で実施形態１と異なるが、それ以外は実施形態１と同様である。したがって、実施形態３においてＣＳ配線１７及びゲート配線１２は、いずれも画素電極１１の列方向に延伸され、画素電極１１の列方向の間隙、すなわち行方向に隣接する２つの画素電極１１の間隙と重畳して配置されており、これにより、黒表示における光漏れを防ぎ、表示のコントラストを向上させることができる。
【００８６】
実施形態３においてアクティブマトリクス基板は、図７に示すように、ＣＳ配線１７とゲート配線１２とが第一の絶縁膜２２を介して異なる層に配置されている。すなわち、実施形態３のアクティブマトリクス基板は、ゲート配線１２及びＣＳ配線１７が重畳する領域において、液晶層に向かって、ガラス基板２１、ＣＳ配線１７、第一の絶縁膜２２、ゲート配線１２、第二の絶縁膜２３、ソース配線１３、第三の絶縁膜２４及び画素電極１１の順にこれらが配置された構成を有する。このような構成とすることで、ＣＳ配線１７とゲート配線１２とが接続しないようにこれらを一定の間隔を空けて配置する必要がなくなり、図７に示すように、画素電極１１を囲う全ての間隙に対しＣＳ配線１７及びゲート配線１２の少なくとも一方を重畳配置することができる。
【００８７】
実施形態３においてソース配線１３と、ＣＳ配線１７及びゲート配線１２とは、原則として、表示面から見たときに互いに離れた位置に、すなわち、互いに重畳しないように配置されており、ソース配線１３とＣＳ配線１７とが重畳する領域、及び、ソース配線１３とゲート配線１２とが重畳する領域は、実質的にこれらの交点のみである。こうすることで、各配線間に寄生容量が形成されることによって起こる配線遅延を防ぎ、表示品位を安定させることができる。
【００８８】
実施形態３においてＣＳ配線１７の延伸部１９とゲート配線１２の延伸部２９とは、これらの間に寄生容量が形成されることを低減するために、原則として、互いに重畳しないように配置されている。ただし、これらの配線は、充分な遮光を得るために互いに延伸部の先端同士が一部だけ重複しており、したがって、ＣＳ配線１７の延伸部１９とゲート配線１２の延伸部２９とが重畳する領域は、実質的にこれらの延伸部の先端のみである。こうすることで、配線遅延を防ぎ、表示品位を安定させることができる。
【００８９】
（実施形態４）
図８は、実施形態４の液晶表示装置の画素構成を示す平面模式図である。実施形態４の液晶表示装置においては、ソース配線１３が行方向に隣接する画素電極１１と重畳するパターンが、列方向で左右対称である点で実施形態１と異なっているが、それ以外は実施形態１と同様である。より詳しくは、実施形態４においてソース配線１３は、行方向に隣接する一組の画素電極１１のうち、まず、右側の画素電極１１と重畳して画素電極１１の列方向に延伸され、屈曲点１８を境に左側に位置する画素電極１１に向かって延伸され、行方向に隣接する画素電極１１の間隙を通過し、屈曲点１８を境に左側の画素電極１１と重畳して画素電極１１の列方向に延伸されている。また、そのように延伸されたソース配線１３は、そのままゲート配線１２を通過し、次行の一組の画素電極１１に向かって延伸されている。そして、左側に位置する画素電極１１と重畳して画素電極１１の列方向に延伸され、屈曲点１８を境に右側に位置する画素電極１１に向かって延伸され、行方向に隣接する画素電極１１の間隙を通過し、屈曲点１８を境に右側に位置する画素電極１１と重畳して画素電極１１の列方向に延伸されている。こうすることにより、ソース配線の横断部を少なくしてソース配線全体の長さを短くすることができるので、配線遅延の影響を小さくすることができる。なお、実施形態４の形態は、上記又は下記実施形態のいずれにも適用させることができる。
【００９０】
（実施形態５）
図９は、実施形態５の液晶表示装置の画素構成を示す平面模式図である。図９に示すように、実施形態５の液晶表示装置においては、ＣＳ配線１７とゲート配線１２とソース配線１３とが全て異なる層で形成されている。ＣＳ配線１７が延伸されることでＣＳ配線１７とゲート配線１２とがより近づくことになるが、ＣＳ配線１７とゲート配線１２との間に予期しないリークが発生してしまうと、ＣＳ配線１７及びゲート配線１２がそれぞれの機能を果たすことができなくなる。そのため、実施形態５の液晶表示装置のように、ＣＳ配線１７とゲート配線１２とソース配線１３とを、絶縁層を介して全て異なる層に形成することで、よりリーク不良が生じる可能性を抑制することができる。
【００９１】
（実施形態６）
図１０は、実施形態６の液晶表示装置の画素構成を示す平面模式図である。図１０に示すように、実施形態６の液晶表示装置においては、ゲート配線１２が画素電極１１の中央を横切るように配置されている点、及び、ＣＳ配線１７が列方向に隣接する２つの画素電極１１の間隙と重畳している点で実施形態１と異なるが、それ以外は実施形態１と同様であり、行方向に隣接する２つの画素電極１１の間隙を遮光する部材として、ＣＳ配線１７の延伸部１９を用いている。そのため、実施形態６の構成であっても、実施形態１と同様の画素電極間の遮光効果、及び、配線遅延の発生の抑制効果を得ることができる。実施形態６では、ＣＳ配線１７を列方向に隣接する２つの画素電極１１の間隙と重畳させて配置しているために、ＣＳ配線１７を画素電極１１の中心方向に向かって延伸させている。これにより、コンタクトホール１６を介して画素電極１１と接続されるドレイン引き出し配線１５と、ＣＳ配線１７との間で保持容量を形成することができる。
【００９２】
（実施形態７）
図１１−１〜１１−３は、実施形態７の液晶表示装置の画素構成を示す平面模式図である。図１１−１は、フローティング電極３９とＣＳ配線１７とゲート配線１２とが同一層に配置され、かつソース配線１３が異なる層に配置された形態であり、図１１−２は、フローティング電極３９とソース配線１３とが同一層に配置され、ゲート配線１２とＣＳ配線１７とが同一層に配置され、かつ、フローティング電極３９及びソース配線１３と、ゲート配線１２及びＣＳ配線１７とが、それぞれ異なる層に配置されている形態であり、図１１−３は、ＣＳ配線１７とゲート配線１２とが同一層に配置され、かつ、フローティング電極３９と、ＣＳ配線１７及びゲート配線１２と、ソース配線１３とが、それぞれ異なる層に配置されている形態である。
【００９３】
図１１−１〜１１−３に示すように、実施形態７の液晶表示装置においては、ＣＳ配線１７及びゲート配線１２のいずれとも接続されていないフローティング電極３９が、行方向に隣接する２つの画素電極１１の間隙と重畳する形で別個設けられている点、及び、ＣＳ配線１７が延伸部を有していない点で実施形態１と異なるが、それ以外は実施形態１と同様である。実施形態７によれば、ＣＳ配線１７及びゲート配線１２の一部を延伸させなくとも、行方向に隣接する２つの画素電極１１の間隙を遮光することができる。また、フローティング電極３９はソース配線１３と重畳していないので、フローティング電極３９とソース配線１３との間での寄生容量の発生を防ぐことができ、信頼性が向上する。図１１−１に示された形態では、フローティング電極３９とＣＳ配線１７とゲート配線１２とは、同一層で配置されているので、フローティング電極３９とＣＳ配線１７とゲート配線１２とを同一材料を用いることでこれらを一括形成することができ、製造工程が簡略化される。また、フローティング電極３９、ＣＳ配線１７及びゲート配線１２と、ソース配線１３とが異なる層に配置されているので、予期しないリーク不良が生じる可能性を減らすことができる。図１１−２に示された形態では、フローティング電極３９とソース配線１３とは、同一層で配置されているので、フローティング電極３９とソース配線１３とを同一材料を用いることでこれらを一括形成することができ、製造工程が簡略化される。また、ゲート配線１２とＣＳ配線１７とは、同一層で配置されているので、ゲート配線１２とＣＳ配線１７とを同一材料を用いることでこれらを一括形成することができ、製造工程が簡略化される。更に、フローティング電極３９及びソース配線１３と、ＣＳ配線１７及びゲート配線１２とは絶縁層を介して異なる層に配置されているので、予期しないリーク不良が生じる可能性を減らすことができる。図１１−３に示された形態では、ＣＳ配線１７とゲート配線１２とは、同一層で配置されているので、ＣＳ配線１７とゲート配線１２とを同一材料を用いることでこれらを一括形成することができ、製造工程が簡略化される。また、フローティング電極３９と、ＣＳ配線１７及びゲート配線１２と、ソース配線１３とは、それぞれ異なる層に配置されているので、予期しないリーク不良が生じる可能性をより効果的に減らすことができる。
【００９４】
（実施形態８）
図１２は、実施形態８の液晶表示装置の画素構成を示す平面模式図である。図１２に示すように、実施形態８の液晶表示装置においては、ＣＳ配線１７及びゲート配線１２のいずれもが列方向に延伸されて、行方向に隣接する２つの画素電極１１の間隙と重畳している点、フローティング電極３９もまた、行方向に隣接する２つの画素電極１１の間隙と重畳して配置されている点、並びに、ＣＳ配線１７及びゲート配線１２が同一層に配置され、ソース配線１３とフローティング電極３９とが同一層に配置され、かつ、ＣＳ配線１７及びゲート配線１２と、ソース配線１３及びフローティング電極３９とがそれぞれ異なる層に配置されている点で、実施形態１と異なっているが、それ以外は実施形態１と同様である。実施形態８では、ゲート配線１２が行方向に隣接する２つの画素電極１１の間隙と重畳して配置されているので、実施形態３と同様、隣接する２つの画素電極１１の行方向及び列方向の間隙全てを覆うことができ、高いコントラストを有する液晶表示装置となる。
【００９５】
（実施形態９）
図１３は、実施形態９の液晶表示装置の画素構成を示す平面模式図である。図１３に示すように、実施形態９の液晶表示装置においては、ソース配線１３が、画素電極１１の中央ではなく、画素電極１１の中央よりも、よりゲート配線１２に近い側で屈曲点１８を有する点、及び、よりゲート配線１２に近い側で行方向に隣接する２つの画素電極１１の間隙を横断する横断部２０を有する点で実施形態１と異なるが、それ以外は実施形態１と同様である。実施形態９においても、ソース配線１３が実質的にＣＳ配線１７との交差点のみで重畳しているため、ソース配線１３とＣＳ配線１７との間で形成される静電容量の発生を抑制するという点では、実施形態１と同様の効果を得ることができる。
【００９６】
（実施形態１０）
図１４は、実施形態１０の液晶表示装置の画素構成を示す平面模式図である。図１４に示すように、実施形態１０の液晶表示装置においては、ソース配線１３が、ＣＳ配線１７の延伸部１９、ゲート配線１２の延伸部２９、及び、フローティング電極３９のいずれとも重畳していない点、ソース配線１３が、画素電極の中央ではなく、画素電極の中央よりも、よりゲート配線１２に近い側で屈曲点を有し、かつ、よりゲート配線１２に近い側で行方向に隣接する２つの画素電極１１の間隙を横断する横断部を有する点、列方向に隣接する２つの画素電極１１の間隙を重畳する配線がゲート配線１２ではなくＣＳ配線１７である点、並びに、ＣＳ配線１７とゲート配線１２との両方が延伸部を有している点で実施形態１と異なるが、それ以外は実施形態１と同様である。実施形態１０においても、ソース配線１３が実質的にＣＳ配線１７との交差点のみでＣＳ配線１７と重畳しており、かつ、ソース配線１３が実質的にゲート配線１２との交差点のみでゲート配線１２と重畳しているため、ソース配線１３とＣＳ配線１７との間で形成される静電容量、及び、ソース配線１３とゲート配線１２との間で形成される静電容量の発生を抑制するという点では、実施形態１と同様の効果を得ることができる。
【００９７】
なお、本願は、２００８年２月２１日に出願された日本国特許出願２００８−０４０１０１号を基礎として、パリ条約ないし移行する国における法規に基づく優先権を主張するものである。該出願の内容は、その全体が本願中に参照として組み込まれている。
【符号の説明】
【００９８】
１１：画素電極
１２：ゲート配線
１３：ソース配線
１４：ＴＦＴ
１５：ドレイン引き出し配線
１６：コンタクトホール
１７：ＣＳ配線
１８：屈曲点
１９：ＣＳ配線の延伸部
２０：横断部
２１：ガラス基板
２２：第一の絶縁膜
２３：第二の絶縁膜
２４：第三の絶縁膜
２９：ゲート配線の延伸部
３９：フローティング電極
Ｓ１〜Ｓ３：ソース配線
ｐｉｘ１〜ｐｉｘ３：画素電極
【図１】
0005511911.tif 000002
【図２】
0005511911.tif 000003
【図３】
0005511911.tif 000004
【図４】
0005511911.tif 000005
【図５】
0005511911.tif 000006
【図６】
0005511911.tif 000007
【図７】
0005511911.tif 000008
【図８】
0005511911.tif 000009
【図９】
0005511911.tif 000010
【図１０】
0005511911.tif 000011
【図１１−１】
0005511911.tif 000012
【図１１−２】
0005511911.tif 000013
【図１１−３】
0005511911.tif 000014
【図１２】
0005511911.tif 000015
【図１３】
0005511911.tif 000016
【図１４】
0005511911.tif 000017
【図１５】
0005511911.tif 000018
【図１６】
0005511911.tif 000019